(57)【要約】【課題】地震が発生したときでも収納されている物品が落下しないようにして、収納されている物品の破損や散乱を防止することができる収納具を提供する。【解決手段】収納具１は、本体２と、支持部３と、保持部４とを備えて構成される。本体２は、食器棚の棚板の下面や、吊下げ棚の底板の下面などのような下向きの取付面Ｓに取り付けられる。支持部３は、本体２に取り付けられ、鉛直方向に移動可能に、かつ鉛直方向回りに回転可能に設けられる。保持部４は、弾性体で形成され、支持部３に吊り下げられる。保持部４は、略正方形に形成されたシート状の包装部分と、この包装部分の角部にそれぞれ形成された４つの係止部分とで構成されている。収納すべき物品は、シート状の包装部分の中央に載置され、４つの係止部分が互いに近接するように包装部分が折り曲げられて包むようにして保持される。【選択図】図１
2014176462.tif 000002
【特許請求の範囲】
【請求項１】
下向きの取付面に取り付けられる本体と、
前記本体に取り付けられ、鉛直方向に移動可能に、かつ鉛直方向回りに回転可能に設けられる支持部と、
前記支持部に吊り下げられると共に、弾性体で形成され、収納すべき物品を包むように保持する保持部とを含むことを特徴とする収納具。
【請求項２】
請求項１に記載の収納具において、
前記支持部は、前記本体に対して着脱可能に構成されていることを特徴とする収納具。
【請求項３】
請求項１又は２に記載の収納具において、
前記保持部は、前記支持部に対して着脱可能に構成されていることを特徴とする収納具。
【請求項４】
請求項３に記載の収納具において、
前記保持部は、シート状の包装部分と、前記包装部分の外周部に形成される複数の係止部分とを含み、前記包装部分の中央に前記物品を載置し、複数の前記係止部分が互いに近接するように前記包装部分を折り曲げて前記物品を包むようにして保持し、複数の前記係止部分をそれぞれ前記支持部に係止させて前記物品を収納することを特徴とする収納具。
【請求項５】
請求項４に記載の収納具において、
４個の係止部分が、前記包装部分の中心回りに等間隔に形成されていることを特徴とする収納具。
【請求項６】
請求項５に記載の収納具において、
前記包装部分の中心と前記係止部分とを結ぶ直線上の所定の点を起点として、前記包装部分の外周部に沿うように切込みが形成され、この切込みは前記直線に関して線対称であることを特徴とする収納具。
【請求項７】
請求項５又は６に記載の収納具において、
シート状の前記包装部分は、略正方形に形成され、該正方形の角部にそれぞれ前記係止部分が形成されていることを特徴とする収納具。
【請求項８】
請求項４〜７のいずれかに記載の収納具において、
前記係止部分は、係止孔を有し、前記支持部は、係止突起を有し、前記係止孔に前記係止突起が挿通することによって、前記係止部分が前記支持部に係止されることを特徴とする収納具。
【請求項９】
請求項４〜８のいずれかに記載の収納具において、
シート状の前記包装部分には、複数の孔が形成されていることを特徴とする収納具。
【請求項１０】
下向きの取付面に取り付けられる本体と、
収納すべき物品を保持する保持部と、
弾性体で形成され、前記本体に接続されると共に、前記保持部を吊り下げる支持部とを含むことを特徴とする収納具。
【請求項１１】
下向きの取付面に取り付けられる本体と、
収納すべき物品を保持する保持部と、
弾性体で形成され、前記本体に接続されると共に、前記保持部を吊り下げる支持部とを含み、
前記支持部は、前記本体及び前記保持部の少なくとも一方に対して、鉛直方向に移動可能に、かつ鉛直方向回りに回転可能に設けられていることを特徴とする収納具。
【請求項１２】
請求項１０又は１１に記載の収納具において、
収納すべき前記物品は、ボウルとステムとプレートとからなるワイングラスであり、
前記保持部は、Ｃ字形に形成された係止部材を有し、この係止部材は、鉛直方向から見てＣ字形となるように配置され、さらに前記係止部材の２つの先端部間の間隔は、前記ワイングラスのステムの幅よりも小さい値に設定されており、
前記ワイングラスは、ボウルが下でプレートが上になる逆さまの姿勢で、ステムが前記係止部材の持つ弾性を利用して前記間隔を拡げてＣ字形の内側に挿入され、プレートが前記係止部材の上部に当接した状態で保持されることを特徴とする収納具。
【請求項１３】
請求項１２に記載の収納具において、
Ｃ字形の前記係止部材には、２つの前記先端部間の間隔を閉鎖するカバー部材が着脱可能に設けられていることを特徴とする収納具。
【請求項１４】
請求項１０又は１１に記載の収納具において、
収納すべき前記物品は、取っ手を備えたカップであり、
前記保持部は、Ｃ字形に形成された係止部材を有し、この係止部材は、２つの先端部が上側に位置するように配置されており、
前記カップは、前記取っ手がＣ字形の係止部材に係合された状態で保持されることを特徴とする収納具。
【請求項１５】
請求項１０又は１１に記載の収納具において、
収納すべき前記物品は、コップであり、
前記保持部は、略直線状に延びて形成された係止部材を有し、この係止部材は、鉛直方向に対して所定の角度だけ傾斜して配置されており、
前記コップは、開口部が下に向いた逆さまの姿勢で、前記係止部材が該コップの内側に挿入され、前記係止部材の先端部が該コップの底部に当接し、前記係止部材の外周部が該コップの内周部に当接した状態で保持されることを特徴とする収納具。
【請求項１６】
請求項１０又は１１に記載の収納具において、
前記保持部は、弾性体で形成され、前記物品を包むように保持することを特徴とする収納具。
【請求項１７】
請求項１〜１６のいずれかに記載の少なくとも１つの収納具と、
前記下向きの取付面に固定され、前記収納具の本体を移動可能に保持する位置決め部材とを備え、
前記本体は、前記位置決め部材に対して着脱可能に構成されることを特徴とする収納装置。
【発明の詳細な説明】
【技術分野】
【０００１】
本発明は、食器棚の棚板の下面や、吊下げ棚の底板の下面などのような下向きの取付面に取り付けられ、食器などの所定の物品を吊り下げて収納する収納具及び収納装置に関し、さらに詳しくは、ガラス製や陶器製の食器のような割れ物や壊れ物の収納に好適な収納具及び収納装置に関する。
【背景技術】
【０００２】
スペースを有効活用するために、食器棚の棚板の下面や吊下げ棚の底板の下面に取り付けられ、食器などを収納するいわゆる吊下げ収納具が提案されている（特許文献１の図１並びに特許文献２の図１及び図２参照）。
【先行技術文献】
【特許文献】
【０００３】
【特許文献１】特開平１０−１７９２９９号公報
【特許文献２】特開２００５−２１１１４１号公報
【発明の概要】
【発明が解決しようとする課題】
【０００４】
前記従来技術では、地震等に起因する振動に対する対策は採られていないので、地震が発生した時に、収納されている食器などの物品が落下してしまう場合がある。ガラス製や陶器製の食器の場合は、落下することによって破損してしまうと、使うことができなくなり、また食器の破片が散乱すると、危険である。また、プラスチック製の食器の場合は、落下しても割れないかもしれないが、落下して散乱した食器を元通りに片付ける必要がある。
そこで、本発明の解決すべき課題は、地震が発生した時でも収納されている物品が落下しないようにして、収納されている物品の破損や散乱を防止することができる収納具及び収納装置を提供することである。
【課題を解決するための手段】
【０００５】
上記の課題を解決するため、請求項１の発明では、下向きの取付面に取り付けられる本体と、前記本体に取り付けられ、鉛直方向に移動可能に、かつ鉛直方向回りに回転可能に設けられる支持部と、前記支持部に吊り下げられると共に、弾性体で形成され、収納すべき物品を包むように保持する保持部とを含むことを特徴とする収納具としている。
【０００６】
また、請求項２の発明では、請求項１に記載の収納具において、前記支持部は、前記本体に対して着脱可能に構成されていることを特徴としている。
【０００７】
また、請求項３の発明では、請求項１又は２に記載の収納具において、前記保持部は、前記支持部に対して着脱可能に構成されていることを特徴としている。
【０００８】
また、請求項４の発明では、請求項３に記載の収納具において、前記保持部は、シート状の包装部分と、前記包装部分の外周部に形成される複数の係止部分とを含み、前記包装部分の中央に前記物品を載置し、複数の前記係止部分が互いに近接するように前記包装部分を折り曲げて前記物品を包むようにして保持し、複数の前記係止部分をそれぞれ前記支持部に係止させて前記物品を収納することを特徴としている。
【０００９】
また、請求項５の発明では、請求項４に記載の収納具において、４個の係止部分が、前記包装部分の中心回りに等間隔に形成されていることを特徴としている。
【００１０】
また、請求項６の発明では、請求項５に記載の収納具において、前記包装部分の中心と前記係止部分とを結ぶ直線上の所定の点を起点として、前記包装部分の外周部に沿うように切込みが形成され、この切込みは前記直線に関して線対称であることを特徴としている。
【００１１】
また、請求項７の発明では、請求項５又は６に記載の収納具において、シート状の前記包装部分は、略正方形に形成され、該正方形の角部にそれぞれ前記係止部分が形成されていることを特徴としている。
【００１２】
また、請求項８の発明では、請求項４〜７のいずれかに記載の収納具において、前記係止部分は、係止孔を有し、前記支持部は、係止突起を有し、前記係止孔に前記係止突起が挿通することによって、前記係止部分が前記支持部に係止されることを特徴としている。
【００１３】
また、請求項９の発明では、請求項４〜８のいずれかに記載の収納具において、シート状の前記包装部分には、複数の孔が形成されていることを特徴としている。
【００１４】
また、請求項１０の発明では、下向きの取付面に取り付けられる本体と、収納すべき物品を保持する保持部と、弾性体で形成され、前記本体に接続されると共に、前記保持部を吊り下げる支持部とを含むことを特徴とする収納具としている。
【００１５】
また、請求項１１の発明では、下向きの取付面に取り付けられる本体と、収納すべき物品を保持する保持部と、弾性体で形成され、前記本体に接続されると共に、前記保持部を吊り下げる支持部とを含み、前記支持部は、前記本体及び前記保持部の少なくとも一方に対して、鉛直方向に移動可能に、かつ鉛直方向回りに回転可能に設けられていることを特徴とする収納具としている。
【００１６】
また、請求項１２の発明では、請求項１０又は１１に記載の収納具において、収納すべき前記物品は、ボウルとステムとプレートとからなるワイングラスであり、前記保持部は、Ｃ字形に形成された係止部材を有し、この係止部材は、鉛直方向から見てＣ字形となるように配置され、さらに前記係止部材の２つの先端部間の間隔は、前記ワイングラスのステムの幅よりも小さい値に設定されており、前記ワイングラスは、ボウルが下でプレートが上になる逆さまの姿勢で、ステムが前記係止部材の持つ弾性を利用して前記間隔を拡げてＣ字形の内側に挿入され、プレートが前記係止部材の上部に当接した状態で保持されることを特徴としている。
【００１７】
また、請求項１３の発明では、請求項１２に記載の収納具において、Ｃ字形の前記係止部材には、２つの前記先端部間の間隔を閉鎖するカバー部材が着脱可能に設けられていることを特徴としている。
【００１８】
また、請求項１４の発明では、請求項１０又は１１に記載の収納具において、収納すべき前記物品は、取っ手を備えたカップであり、前記保持部は、Ｃ字形に形成された係止部材を有し、この係止部材は、２つの先端部が上側に位置するように配置されており、前記カップは、前記取っ手がＣ字形の係止部材に係合された状態で保持されることを特徴としている。
【００１９】
また、請求項１５の発明では、請求項１０又は１１に記載の収納具において、収納すべき前記物品は、コップであり、前記保持部は、略直線状に延びて形成された係止部材を有し、この係止部材は、鉛直方向に対して所定の角度だけ傾斜して配置されており、前記コップは、開口部が下に向いた逆さまの姿勢で、前記係止部材が該コップの内側に挿入され、前記係止部材の先端部が該コップの底部に当接し、前記係止部材の外周部が該コップの内周部に当接した状態で保持されることを特徴としている。
【００２０】
また、請求項１６の発明では、請求項１０又は１１に記載の収納具において、前記保持部は、弾性体で形成され、前記物品を包むように保持することを特徴としている。
【００２１】
また、請求項１７の発明では、請求項１〜１６のいずれかに記載の少なくとも１つの収納具と、前記下向きの取付面に固定され、前記収納具の本体を移動可能に保持する位置決め部材とを備え、前記本体は、前記位置決め部材に対して着脱可能に構成されることを特徴とする収納装置としている。
【発明の効果】
【００２２】
請求項１に記載の発明によれば、物品は弾性体で形成された保持部によって包むように保持され、吊り下げられた状態で収納される。したがって、地震が発生して取付面が振動しても、弾性体によって振動が吸収緩和されるので、吊り下げられた物品の揺動を小さくすることができる。
このとき、水平方向の振動は主として弾性体によって吸収緩和され、鉛直方向の振動は、弾性体によって吸収緩和されると共に、支持部が鉛直方向に移動することによっても吸収緩和される。また、振動に起因して吊り下げられた保持部が回転する力が生じたときは、この回転力は、弾性体によって吸収緩和されると共に、支持部が鉛直方向回りに回転することによっても吸収緩和される。
このように地震が発生したときに、吊り下げられた保持部の揺動や回転を小さくすることができるので、保持部から物品が落下することを防止することができる。これによって、物品が落下して破損したり、散乱したりするのを防止することができる。
【００２３】
請求項２に記載の発明によれば、支持部と保持部とを一体的に本体に対して装着したり脱離したりすることができる。これによって、保持部から物品を取り出すときに、保持部と共に支持部を本体から脱離させて、例えばテーブルの上で保持部から物品を取り出すことができるようになるので、吊り下げられた保持部から物品を取り出す場合に比べて、安全確実に物品を保持部から取り出すことができる。
同様に、保持部に物品を保持させるときも、例えばテーブルの上で保持部に物品を保持させてから、保持部と共に支持部を本体に装着することができるので、吊り下げられた保持部に物品を保持させて収納する場合に比べて、安全確実に物品を収納することができる。このように物品を安全確実に取り出したり収納したりできることは、本体をユーザから見て高い位置に設置した場合に特に有効である。
【００２４】
請求項３に記載の発明によれば、保持部を支持部に対して装着したり脱離したりすることができる。これによって、保持部から物品を取り出すときに、物品が保持された状態の保持部を支持部から脱離させて、例えばテーブルの上で保持部から物品を取り出すことができるようになるので、吊り下げられた保持部から物品を取り出す場合に比べて、安全確実に物品を保持部から取り出すことができる。
同様に、保持部に物品を保持させるときも、例えばテーブルの上で保持部に物品を保持させてから、保持部を支持部に装着することができるので、吊り下げられた保持部に物品を保持させて収納する場合に比べて、安全確実に物品を収納することができる。このように物品を安全確実に取り出したり収納したりできることは、本体をユーザから見て高い位置に設置した場合に特に有効である。
【００２５】
請求項４に記載の発明によれば、弾性体で形成されたシート状の包装部分を折り曲げて包むようにして物品が保持されるので、収納する物品の形状が制限されることはなく、様々な形状の物品を収納することができる。また、包装部分を折り曲げて物品を包むようにして保持するので、包装部分の折り曲げられた部分が物品の外側に接触した状態で物品が保持されることになる。これによって、地震が発生して保持部が振動したときでも、包装部分の内側で物品が移動することがないので、安定して物品を収納することができる。
【００２６】
請求項５に記載の発明によれば、係止部分が４個あるので、包装部分を折り曲げて物品を包むようにして保持したとき、包装部分の折り曲げられた部分が４個できることになる。そして、４個の係止部分は包装部分の中心回りに等間隔に、即ち９０度間隔で形成されているので、４個の折り曲げられた部分も包装部分の中心回りに９０度間隔でできることになる。したがって、収納すべき物品は折り曲げられた部分が４方向から接触した状態で、より詳しくは２組の折り曲げられた部分（各組の折り曲げられた部分は包装部分の中心を挟んで互いに対向する場所に位置している）によって挟持された状態で保持されるので、安定して物品を収納することができる。
【００２７】
請求項６に記載の発明によれば、包装部分には切込みが形成されているので、包装部分を折り曲げて物品を包むようにして保持したとき、切込みよりも係止部分側の部位、即ち上側部分が、切込みがない場合に比べてより内側に向かって折り曲げられることになる。これによって、上側部分が物品の外側に確実に接触できるようになるので、安定して物品を収納することができる。
【００２８】
請求項７に記載の発明によれば、シート状の包装部分が略正方形に形成されているので、包装部分を折り曲げて物品を包むようにして保持したとき、４個の折り曲げられた部分がほぼ同じ状態で物品を保持するので、バランスよく安定して物品を収納することができる。
【００２９】
請求項８に記載の発明によれば、保持部を支持部に装着するときは、支持部の係止突起に保持部の係止部分を引っ掛ける（詳しくは、係止突起を係止部分の係止孔に挿通させる）だけでよく、また保持部を支持部から脱離させるときは、支持部の係止突起から保持部の係止部分を抜き取る（詳しくは、係止突起を係止部分の係止孔から抜き取る）だけでよい。したがって、支持部に対する保持部の装着及び脱離を簡単に行うことができる。
【００３０】
請求項９に記載の発明によれば、シート状の包装部分には複数の孔が形成されているので、包装部分を折り曲げて物品を包むようにして保持したとき、保持部の内側と外側とで空気が循環できるようになる。これによって、例えば洗った後の生乾きの食器を収納した場合、空気が循環するので、食器を乾かすことができる。
また、例えば収納具を台所の流し台の上側に取り付けておき、洗った直後の水滴が垂れている食器を収納した場合は、包装部分の孔を通って水滴が流し台に落下するので、食器の水切りを行うことができ、その後は空気が循環するので食器を乾かすことができる。この場合は、食器を洗った後に乾かしてから収納する必要がなくなり、手間を省くことが可能となる。
【００３１】
請求項１０に記載の発明によれば、収納すべき物品は、弾性体で形成された支持部によって本体に吊り下げられた保持部に保持された状態で収納される。したがって、地震が発生して取付面が振動しても、弾性体によって振動が吸収緩和されるので、吊り下げられた保持部及び物品の揺動を小さくすることができる。より詳しくは、水平方向の振動、鉛直方向の振動、及び振動に起因して生じた保持部を回転させる力は、いずれも支持部、即ち弾性体によって吸収緩和される。このように地震が発生したときに、吊り下げられた物品の揺動や回転を小さくすることができるので、物品が落下することを防止することができる。これによって、物品が落下して破損したり、散乱したりするのを防止することができる。
【００３２】
請求項１１に記載の発明によれば、収納すべき物品は、弾性体で形成された支持部によって本体に吊り下げられた保持部に保持された状態で収納される。したがって、地震が発生して取付面が振動しても、支持部、即ち弾性体によって振動が吸収緩和されるので、吊り下げられた物品の揺動を小さくすることができる。より詳しくは、水平方向の振動は、弾性体によって吸収緩和される。また鉛直方向の振動は、弾性体によって吸収緩和されると共に、支持部及び保持部が鉛直方向に移動することによっても吸収緩和される。
なお、支持部を本体及び保持部の両方に対して移動可能に設けた場合のほうが、一方だけに対して移動可能に設けた場合に比べて、鉛直方向の移動可能距離が長くなるので、鉛直方向の振動の吸収緩和の度合いが大きくなる。
また、振動に起因して生じた吊り下げられた保持部を回転させる力は、弾性体によって吸収緩和されると共に、支持部及び保持部が鉛直方向回りに回転することによっても吸収緩和される。
このように地震が発生したときに、吊り下げられた物品の揺動や回転を小さくすることができるので、物品が落下することを防止することができる。これによって、物品が落下して破損したり、散乱したりするのを防止することができる。
【００３３】
請求項１２に記載の発明によれば、地震が発生したときに、吊り下げられたワイングラスの揺動や回転を小さくすることができるので、ワイングラスが係止部材から落下することを防止することができる。
【００３４】
請求項１３に記載の発明によれば、収納具のユーザが必要性を感じたときに、カバー部材を装着してＣ字形の係止部材における２つの先端部間の間隔を閉鎖することができる。例えば、ユーザが２つの先端部間の間隔からワイングラスが落下するのではないかと思ったとき、ユーザはカバー部材を装着して前記間隔を閉鎖することができる。これによって、ワイングラスが係止部材から落下することを確実に防止できるので、安全性が向上すると共に、ユーザに安心感を与えることができる。
【００３５】
また、係止部材に対するワイングラスの出し入れを繰り返すと、先端部間の間隔が大きくなることが予想されるが、このときにカバー部材を装着すれば、ワイングラスが係止部材から落下することを確実に防止できるので、安全性が向上する。
【００３６】
さらに、先端部間の間隔の幅よりもステムの幅が小さいワイングラスを保持させたときは、前記間隔をカバー部材によって閉鎖できるので、ワイングラスが係止部材から落下することを確実に防止することができる。これによって、収納できるワイングラスの種類を増やすことが可能となる。
【００３７】
請求項１４に記載の発明によれば、地震が発生したときに、吊り下げられたカップの揺動や回転を小さくすることができるので、カップが係止部材から落下することを防止することができる。
【００３８】
請求項１５に記載の発明によれば、地震が発生したときに、吊り下げられたコップの揺動や回転を小さくすることができるので、コップが係止部材から落下することを防止することができる。なお、コップには、取っ手を備えたカップを含むものとする。
【００３９】
請求項１６に記載の発明によれば、支持部に加えて保持部も弾性体で形成されるので、支持部だけが弾性体である場合に比べて、振動の吸収緩和の度合いが大きくなる。これによって、吊り下げられた物品の揺動をより一層小さくすることが可能となる。
【００４０】
請求項１７に記載の発明によれば、収納具の本体は下向きの取付面に固定された位置決め部材に移動可能に保持されるので、位置決め部材における移動可能範囲内で任意の位置に収納具を配置することができ、また配置場所を変更することができる。これによって、ユーザは所望の位置に収納具を配置して使用することができるようになり、利便性が向上する。
また、ユーザは不要なときは収納具を取り外し、必要なときに収納具を取り付けて使用できるので、ユーザは希望するときだけ収納具を使用できるようになり、利便性が向上する。
さらに、位置決め部材には複数個の収納具を取り付けることができるので、ユーザは希望の個数（１又は複数）の収納具を取り付けて使用することができるようになり、利便性が向上する。また、位置決め部材には収納する物品が異なる複数種類の収納具を取り付けて使用することができるので、ユーザは収納する物品の種類に応じた収納具を適宜選択して使用することができるようになり、利便性が向上する。
【図面の簡単な説明】
【００４１】
【図１】本発明の第１実施形態である収納具の構成を示す斜視図。
【図２】本体の構成を示す図であり、（ａ）は平面図、（ｂ）は（ａ）の切断面線ａ１−ａ１から見た断面図、（ｃ）は底面図、（ｄ）は（ａ）の矢印Ｒ１から見た側面図。
【図３】支持部の構成を示す図であり、（ａ）は正面図、（ｂ）は平面図。
【図４】支持部を本体に装着する手順を説明するための図。
【図５】支持部を本体に装着した状態を示す側面図。
【図６】支持部を本体に装着した状態を示す斜視図。
【図７】保持部の平面図。
【図８】本発明の第２実施形態である収納具の構成を示す斜視図。
【図９】支持部の構成を示す図であり、（ａ）は正面図、（ｂ）は平面図。
【図１０】支持部を本体の装着した状態を示す斜視図。
【図１１】本発明の第３実施形態である収納装置の構成を示す斜視図。
【図１２】位置決めレールの構成を示す斜視図。
【図１３】位置決めレールの正面図。
【図１４】位置決めレールを分解して示す正面図。
【図１５】位置決めレールを分解して示す側面図。
【図１６】位置決めレールを分解して示す平面図。
【図１７】位置決めレールに収納具の本体を装着した状態を示す正面図。
【図１８】本発明の第４実施形態である収納具の構成を示す斜視図。
【図１９】本体の構成を示す図であり、（ａ）は平面図、（ｂ）は（ａ）の切断面線ａ２−ａ２から見た断面図、（ｃ）は底面図。
【図２０】支持部の構成を示す図であり、（ａ）は平面図、（ｂ）は正面図、（ｃ）は断面図。
【図２１】保持部の構成を示す図であり、（ａ）は平面図、（ｂ）は正面図。
【図２２】ワイングラスを収納した収納具を示す図であり、一部を断面で示す概略正面図。
【図２３】本発明の第５実施形態である収納装置の構成を示す斜視図。
【図２４】本発明の第６実施形態である収納具の構成を示す斜視図。
【図２５】保持部の構成を示す図であり、（ａ）は平面図、（ｂ）は正面図。
【図２６】取っ手を備えたカップを収納した収納具を示す図であり、一部を断面で示す概略正面図。
【図２７】本発明の第７実施形態である収納装置の構成を示す斜視図。
【図２８】本発明の第８実施形態である収納具の構成を示す斜視図。
【図２９】保持部の構成を示す図であり、（ａ）は平面図、（ｂ）は正面図。
【図３０】コップを収納した収納具を示す図であり、一部を断面で示す概略正面図。
【図３１】本発明の第９実施形態である収納装置の構成を示す斜視図。
【図３２】本発明の第１０実施形態である収納具の構成を示す断面図。
【図３３】保持部の構成を示す平面図である。
【発明を実施するための形態】
【００４２】
図１は、本発明の第１実施形態である収納具１の構成を示す斜視図である。収納具１は、本体２と、支持部３と、保持部４とを含んで構成される。本体２は、例えばプラスチックなどの合成樹脂で形成され、下向きの取付面Ｓに例えば後述するネジによって取り付けられる。下向きの取付面Ｓとは、地面や床面などに対向する面であり、食器棚の棚板の下面や、吊下げ棚の底板の下面や、天井面などが該当する。この取付面Ｓは、水平面であることが好ましいが、若干傾いた傾斜面であってもよい。
【００４３】
支持部３は、例えばプラスチックなどの合成樹脂で形成され、本体２に取り付けられる。このとき、支持部３は、鉛直方向に移動可能に、かつ鉛直方向回りに回転可能に取り付けられている。
保持部４は、弾性体で形成され、支持部３に吊り下げられると共に、収納すべき物品を包むようにして保持する。弾性体としては、シリコンゴムやウレタンゴム等の合成ゴムや、熱可塑性エラストマー樹脂（シリコン系、ウレタン系、ブタジエン系等）などを用いることができる。
【００４４】
図２は、本体２の構成を示す図であり、（ａ）は平面図、（ｂ）は（ａ）の切断面線ａ１−ａ１から見た断面図、（ｃ）は底面図、（ｄ）は（ａ）の矢印Ｒ１から見た側面図である。
本体２は、矩形状の底板５と、底板５の周囲を囲むように配置された側板６とで構成された略箱状の部材である。本体２の内側には、複数（本実施形態では４）の筒状体７が底板５の所定の位置に設けられており、筒状体７の高さは側板６の高さと同じ値に設定される。底板５において筒状体７が設けられた部分には孔が形成され、これによって底板５から筒状体７に亘って１つの挿通孔８が形成される。この挿通孔８にネジを挿通して所定の取付面Ｓにネジを螺合することによって、本体２は取付面Ｓに固定される。
【００４５】
底板５には、一側面から内側に向かって延びる切欠き９が形成されている。この切欠き９は、一側面の中央部分から内側に向かって直線状に形成され、内側の最奥部９ａは円弧状に形成されている。切欠き９が形成された一側面に配置される側板６は、切欠き９の開口部９ｂを挟んで間隔をあけて配置される一対の側板６ａ，６ｂで構成されている。一対の側板６ａ，６ｂの間隔は、２段階に設定されている。即ち、底板５側は切欠き９の開口部９ｂと同じ長さに設定され、底板５とは反対側は開口部９ｂよりも大きい長さに設定される。これによって、一対の側板６ａ，６ｂ間には、大間隔部分と小間隔部分とが結合した略Ｔ字形の開口が形成されることになる（図２（ｄ）参照）。換言すれば、一対の側板６ａ，６ｂには、切欠き９の開口部９ｂを挟んで対向する位置に、それぞれ低層部分Ｌａ，Ｌｂが形成されることになる。
また、底板５には、切欠き９を挟んで対向する位置にそれぞれ壁状部分１０ａ，１０ｂが形成されている。一対の壁状部分１０ａ，１０ｂは、切欠き９の開口部９ｂから切欠き９に沿って内側に向かって延びて形成されている。壁状部分１０ａ，１０ｂは、その高さが低層部分Ｌａ，Ｌｂと同じ高さに設定されると共に、開口部９ｂ側で低層部分Ｌａ，Ｌｂと連結されている。
さらに、底板５の外側であって、切欠き９を挟んで対向する位置に配置されている一対の側板６ｃ，６ｄの下側には、後述する位置決めレール３１の係合突起３０ａ，３０ｂが嵌合される係合溝１１ｃ，１１ｄがそれぞれ形成されている。一対の係合溝１１ｃ，１１ｄは、切欠き９の開口部９ｂが位置する側面から反対側の側面まで、底板５の全長に亘って形成されている。
【００４６】
図３は、支持部３の構成を示す図であり、（ａ）は正面図、（ｂ）は平面図である。図４は、支持部３を本体２に装着する手順を説明するための図である。図５は、支持部３を本体２に装着した状態を示す側面図であり、図６は支持部３を本体２に装着した状態を示す斜視図である。
支持部３は、円柱状に形成された本体１５と、本体１５の一方端部に形成された係止円板１６と、本体１５の他方端部側の側部に形成された４つの係止突起１７とで構成されている。
【００４７】
係止円板１６は、その軸線が円柱状の本体１５の軸線と同軸となるように形成されている。さらに、係止円板１６の直径Ｄ１は、円柱状の本体１５の直径Ｄ２よりも大きい値に設定される。
４つの係止突起１７は、円柱状の本体１５の外周回りに等間隔、即ち９０度の間隔で形成されている。係止突起１７は、断面が円形の略Ｃ字形の部材であり、先端部が係止円板１６に向かって延びるように形成され、この先端部は、球状に形成されている。
【００４８】
ここで、円柱状の本体１５の直径Ｄ２は、上述した本体２の底板５に形成された切欠き９の幅Ｗ１よりもやや小さい値に設定される。また、係止円板１６の直径Ｄ１は、上述した本体２の一対の側板６ａ，６ｂ間に形成された略Ｔ字形の開口の大間隔部分の長さＷ２よりもやや小さい値に設定され、係止円板１６の厚み（高さ）Ｈ１は、大間隔部分の高さＨ２よりもやや小さい値に設定される。さらに、係止突起１７の先端部と係止円板１６との距離Ｌ１は、上述した本体２の一対の側板６ａ，６ｂにおける低層部分Ｌａ，Ｌｂの高さＨ３よりも大きい値に設定される。
このように支持部３における各部寸法を設定したので、図４に示すように、所定の取付面Ｓに取り付けられた本体２に対して、係止円板１６と本体１５の一部分とを側面に設けられた略Ｔ字形の開口から内側に挿入することができる。
したがって、支持部３を本体２に装着するとき、ユーザは支持部３の係止突起１７側を持って係止円板１６側を略Ｔ字形の開口から内側に挿入する。挿入後そのまま水平方向に移動させると、係止円板１６は一対の壁状部分１０ａ，１０ｂの上面に沿って、円柱状の本体１５は切欠き９に沿ってさらに内側に移動する。
【００４９】
そして、円柱状の本体１５の外周部が切欠き９の最奥部９ａに当接した時点で、それ以上は水平方向に移動しなくなる。このとき、係止円板１６の下方には壁状部分１０ａ，１０ｂが存在しないので、ユーザは支持部３を下側に移動させる。これによって、係止円板１６は下方に移動して底板５に当接し（図５参照）、係止円板１６の外周面は壁状部分１０ａ，１０ｂの内側端面に当接し、これで支持部３の装着が完了する。
このように支持部３は、円柱状の本体１５の外周部が本体２の切欠き９の最奥部（円弧状に形成された部分）９ａに当接し、係止円板１６の下面が本体２の底板５の上面に当接し、係止円板１６の外周部が本体２の壁状部分１０ａ，１０ｂの内側端面に当接した状態で、本体２に装着される。
したがって、係止円板１６はその下方に存在する切欠き９よりも大きいので、支持部３に下向きの力が作用しても、支持部３が本体２の下側に抜け落ちることはない。また、係止円板１６は壁状部分１０ａ，１０ｂの内側端面に当接しているので、支持部３に略Ｔ字形の開口側に向かう水平方向の力が作用しても、支持部３が切欠き９に沿って略Ｔ字形の開口側に移動することはなく、支持部３が本体２から脱離することはない。
【００５０】
さらに本体２に装着された支持部３は、係止円板１６が底板５に当接しているだけなので、円柱状の本体１５の軸線方向（鉛直方向）に沿って移動可能である。また支持部３は、円柱状の本体１５の外周部が円弧状の最奥部９ａに当接し、係止円板１６が一対の壁状部分１０ａ，１０ｂの内側端面に当接しているだけなので、円柱状の本体１５の軸線（鉛直方向）回りに回転可能である。
【００５１】
支持部３を本体２から脱離させるときは、ユーザはまず支持部３の係止突起１７側を持って上方に移動させる。そして、係止円板１６が取付面Ｓに当接して支持部３が上方に移動しなくなったら、ユーザは切欠き９に沿って水平方向に支持部３を移動させる。これによって、係止円板１６は一対の壁状部分１０ａ，１０ｂの上面に沿って移動し、円柱状の本体１５は切欠き９に沿って移動し、最終的には略Ｔ字形の開口から脱離する。このようにしてユーザは支持部３を本体２から脱離させることができる。
【００５２】
図７は、保持部４の平面図である。保持部４は、略正方形に形成されたシート状の包装部分２０と、この包装部分２０の角部にそれぞれ形成された４つの係止部分２１とで構成されている。
シート状の包装部分２０の厚みは、０．５〜１ｍｍ程度である。また包装部分２０には、４つの角部近傍に略三角形の同じ大きさの孔２２がそれぞれ形成されている。この孔２２は、包装部分２０の平面形状である正方形の対角線に関して線対称である。即ち、孔２２の平面形状である三角形の頂点が正方形の対角線上に位置し、頂点を挟む２辺は同じ長さであり、かつ包装部分２０の外周部に沿ってつまり前記正方形の辺に沿って平行に延びており、底辺は前記正方形の対角線に直交している。なお、略三角形の孔２２において、３つの角部はそれぞれ円弧状に形成されている。
【００５３】
さらに、シート状の包装部分２０には、４つの三角形の孔２２よりも内側の領域に複数（図７では３２個）の円形の同じ大きさの孔２３が形成されている。図７では、３２個の孔２３は、正方形の包装部分２０を４等分したときの各分割領域内にそれぞれ８個ずつ形成されている。さらに、各分割領域内での８個の孔２３の配列パターンは、同じである。なお、複数の孔２３は、形状や大きさは特に限定されるものではなく、円形の異なる大きさの孔であってもよいし、四角形や三角形の孔であってもよいし、円形と四角形のように形の異なる孔を組み合わせて実現してもよいし、さらに複雑な形状の孔であってもよい。
【００５４】
４つの係止部分２１は、それぞれ包装部分２０の角部から対角線方向に外側に向かって延びて形成された帯状の部材であり、先端部は円弧状に形成されている。なお、係止部分２１の厚みは、包装部分２０と同じである。また係止部分２１には、先端部近傍に円形の係止孔２１ａが形成されている。
【００５５】
上述した構成のシート状の保持部４において、包装部分２０及び４つの係止部分２１の各外周部並びに４つの略三角形の孔２２、３２個の円形の孔２３、及び４つの係止孔２１ａの各周縁部は、他の部分よりも肉厚に形成されている。これは、物品を収納するためにシート状の保持部４を折り曲げて変形させるなどして負荷が作用したときに、外周部及び周縁部に亀裂等が入って破損することを防止するためである。
【００５６】
収納すべき物品は、弾性体で形成されたシート状の保持部４によって包むように保持される。具体的には、物品は、シート状の包装部分２０の中央に載置され、４つの係止部分２１が互いに近接するように包装部分２０が折り曲げられて包むようにして保持される。より詳しくは、物品は、包装部分２０の折り曲げられた部分が物品の外側に接触した状態で保持される。
さらに、包装部分２０には略三角形の孔２２が形成されているので、包装部分２０を折り曲げたとき、孔２２よりも係止部分２１側の部分、即ち折り曲げ部分が、孔２２がない場合に比べてより内側（物品側）に向かって折り曲げられることになる。これによって、包装部分２０の折り曲げ部分が物品の外側に確実に接触できるようになる。
【００５７】
このようにして物品を保持した保持部４は、支持部３に装着されて吊り下げられる。具体的には、支持部３の係止突起１７に保持部４の係止部分２１を引っ掛ける（詳しくは係止突起１７を係止部分２１の係止孔２１ａに挿通させる）ことによって、保持部４は支持部３に装着される（図１参照）。
なお、収納すべき物品は、保持部４で包むことができる大きさであって、保持部４で包んだ状態で支持部３に係止して吊り下げられる重さであれば、特に制限はないが、ガラス製や陶器製の食器のような割れ物や壊れ物が好ましい。
【００５８】
以上のように第１実施形態によれば、物品は弾性体で形成された保持部４によって包むように保持され、吊り下げられた状態で収納される。したがって、地震が発生して取付面Ｓが振動しても、弾性体（保持部４）によって振動が吸収緩和されるので、吊り下げられた物品の揺動を小さくすることができる。このとき、水平方向の振動は主として弾性体（保持部４）によって吸収緩和され、鉛直方向の振動は、弾性体（保持部４）によって吸収緩和されると共に、支持部３が鉛直方向に移動することによっても吸収緩和される。また、振動に起因して吊り下げられた保持部４が回転する力が生じたときは、この回転力は、弾性体（保持部４）によって吸収緩和されると共に、支持部３が鉛直方向回りに回転することによっても吸収緩和される。
このように地震が発生したときに、吊り下げられた保持部４の揺動や回転を小さくすることができるので、保持部４から物品が落下することを防止することができる。これによって、物品が落下して破損したり、散乱したりするのを防止することができる。
【００５９】
また、弾性体で形成されたシート状の包装部分２０を折り曲げて包むようにして物品が保持されるので、収納する物品の形状が制限されることはなく、様々な形状の物品を収納することができる。また、包装部分２０を折り曲げて物品を包むようにして保持するので、包装部分２０の折り曲げられた部分が物品の外側に接触した状態で物品が保持されることになる。これによって、地震が発生して保持部４が振動したときでも、包装部分２０の内側で物品が移動することがないので、安定して物品を収納することができる。
さらに、係止部分２１が４個あるので、包装部分２０を折り曲げて物品を包むようにして保持したとき、包装部分２０の折り曲げられた部分が４個できることになる。そして、４個の係止部分２１は包装部分２０の中心回りに等間隔に、即ち９０度間隔で形成されているので、４個の折り曲げられた部分も包装部分２０の中心回りに９０度間隔でできることになる。
したがって、収納すべき物品は折り曲げられた部分が４方向から接触した状態で、より詳しくは２組の折り曲げられた部分（各組の折り曲げられた部分は包装部分２０の中心を挟んで互いに対向する場所に位置している）によって挟持された状態で保持されるので、安定して物品を収納することができる。
【００６０】
また、シート状の包装部分２０が略正方形に形成されているので、包装部分２０を折り曲げて物品を包むようにして保持したとき、４個の折り曲げられた部分がほぼ同じ状態で物品を保持するので、バランスよく安定して物品を収納することができる。
また、包装部分２０には略三角形の孔２２が形成されているので、包装部分２０を折り曲げて物品を包むようにして保持したとき、孔２２よりも係止部分側の部分、即ち上側部分が、孔２２がない場合に比べてより内側に向かって引き込まれることになる。これによって、上側部分が物品の外側に確実に接触できるようになるので、安定して物品を収納することができる。
また、孔２２の形状である三角形の頂点を挟む２辺が包装部分２０の外周部に沿って平行に形成されているので、上側部分の幅が同じになる。したがって、上側部分の強度を均一にすることが可能となる。
【００６１】
また、保持部４を支持部３に対して装着したり脱離したりすることができる。これによって、保持部４から物品を取り出すときに、物品が保持された状態の保持部４を支持部３から脱離させて、例えばテーブルの上で保持部４から物品を取り出すことができるようになるので、吊り下げられた保持部４から物品を取り出す場合に比べて、安全確実に物品を保持部４から取り出すことができる。
同様に、保持部４に物品を保持させるときも、例えばテーブルの上で保持部４に物品を保持させてから、保持部４を支持部３に装着することができるので、吊り下げられた保持部４に物品を保持させて収納する場合に比べて、安全確実に物品を収納することができる。このように物品を安全確実に取り出したり収納したりできることは、本体２をユーザから見て高い位置に設置した場合に特に有効である。
【００６２】
また、保持部４を支持部３に装着するときは、支持部３の係止突起１７に保持部４の係止部分２１を引っ掛ける（詳しくは、係止突起１７を係止部分２１の係止孔２１ａに挿通させる）だけでよく、また保持部４を支持部３から脱離させるときは、支持部３の係止突起１７から保持部４の係止部分２１を抜き取る（詳しくは、係止突起１７を係止部分２１の係止孔２１ａから抜き取る）だけでよい。したがって、支持部３に対する保持部４の装着及び脱離を簡単に行うことができる。
【００６３】
また、支持部３と保持部４とを一体的に本体２に対して装着したり脱離したりすることができるので、保持部４から物品を取り出すときに、保持部４と共に支持部３を本体２から脱離させて、例えばテーブルの上で保持部４から物品を取り出すことができるようになる。これによって、吊り下げられた保持部４から物品を取り出す場合に比べて、安全確実に物品を保持部４から取り出すことができる。
同様に、保持部４に物品を保持させるときも、例えばテーブルの上で保持部４に物品を保持させてから、保持部４と共に支持部３を本体２に装着することができるので、吊り下げられた保持部４に物品を保持させて収納する場合に比べて、安全確実に物品を収納することができる。このように物品を安全確実に取り出したり収納したりできることは、本体２をユーザから見て高い位置に設置した場合に特に有効である。
【００６４】
また、シート状の包装部分２０の中央部分には複数の孔２３が形成されているので、包装部分２０を折り曲げて物品を包むようにして保持したとき、保持部４の内側と外側とで空気が循環できるようになる。なお、４つの三角形の孔２２によっても空気が循環する。これによって、例えば洗った後の生乾きの食器を収納した場合、空気が循環するので、食器を乾かすことができる。
【００６５】
さらに、例えば収納具１を台所の流し台の上側に取り付けておき、洗った直後の水滴が垂れている食器を収納した場合は、包装部分２０の中央部分の孔２３を通って水滴が流し台に落下するので、食器の水切りを行うことができ、その後は空気が循環するので食器を乾かすことができる。この場合は、食器を洗った後に乾かしてから収納する必要がなくなり、手間を省くことが可能となる。
【００６６】
上記第１実施形態では、シート状の包装部分２０を略正方形に形成したけれども、略正五角形や略正六角形のように略正多角形に形成してもよいし、略円形に形成してもよい。また、長方形に形成することも可能である。
また、保持部４の係止部分２１の数は４個であるけれども、３個や５個以上であってもよい。なお、係止部分２１の数に合わせて支持部３の係止突起１７の数を変更する必要があることはもちろんである。
例えば、包装部分を正三角形に形成して３つの角部にそれぞれ係止部分を形成してもよい。さらに、包装部分を円形にして形成して３つ又は４つの係止部分を等間隔に形成してもよい。
【００６７】
また上記第１実施形態では、シート状の包装部分２０に略三角形の孔２２を形成したけれども、三角形の頂点を挟む２辺に沿って切込みを形成してもよい。切込みを形成した場合でも、包装部分を折り曲げて物品を包むようにして保持したとき、切込みよりも係止部分側の部分、即ち上側部分が、切込みがない場合に比べてより内側に向かって引き込まれることになる。したがって、切込みを形成した場合でも、上側部分が物品の外側に確実に接触できるようになるので、安定して物品を収納することができる。
【００６８】
包装部分に形成する切込みは、包装部分の中心と係止部分とを結ぶ直線上（包装部分の形状が正方形の場合は対角線上）の所定の点を起点として、包装部分の外周部に沿うように、かつ前記直線（対角線）に関して線対称となるように形成すればよい。
【００６９】
図８は、本発明の第２実施形態である収納具１ａの構成を示す斜視図である。収納具１ａは、上記第１実施形態である収納具１と構成が類似しているので、同一の構成には同一の参照符号を付して詳細な説明は、省略する。収納具１ａでは、支持部３に代えて、支持部３ａが使用されている。
【００７０】
図９は、支持部３ａの構成を示す図であり、（ａ）は正面図であり、（ｂ）は平面図である。図１０は、支持部３ａを本体２に装着した状態を示す斜視図である。
支持部３ａは、円柱状に形成された本体１５と、本体１５の一方端部に形成された係止円板１６と、本体の他方端部に形成された係止部１８とで構成されている。
【００７１】
係止部１８は、平面形状が略正方形である基板１８ａと、基板１８ａの４つの角部にそれぞれ形成された４つの係止突起１８ｂとで形成される。基板１８ａは、その平面形状である正方形の中心を円柱状の本体１５の軸線が通る位置に固定される。４つの係止突起１８ｂは、基板１８ａの４つの角部よりもやや外側に突出した位置に形成される。即ち、４つの係止突起１８ｂは、円柱状の本体１５の軸線回りに等間隔、即ち９０度の間隔で配置されている。係止突起１８ｂは、横断面が円形の棒状部材であり、先端部が係止円板１６側、即ち上方に向かって直線状に延びるように形成され、さらに先端部は球状に形成されている。
【００７２】
第２実施形態においても、第１実施形態と同様の効果が得られる。また第２実施形態によれば、支持部３ａの係合突起１８ｂ間の間隔が第１実施形態における係合突起１７間の間隔に比べて広くなるので、保持部４の係合作業がやりやすくなる。
【００７３】
図１１は、本発明の第３実施形態である収納装置Ｕ１の構成を示す斜視図である。収納装置Ｕ１は、第１実施形態を利用するものであるので、同一の構成には同一の参照符号を付して詳細な説明は省略する。
収納装置Ｕ１は、収納具１と位置決め部材である位置決めレール３１とを備えて構成されている。位置決めレール３１は、所定の下向きの取付面Ｓに固定され、収納具１の本体２を移動可能に保持する。また本体２は、位置決めレール３１に対して着脱可能に構成されている。
【００７４】
図１２は、位置決めレール３１の構成を示す斜視図である。図１３は、位置決めレール３１の正面図であり、図１４は位置決めレール３１を分解して示す正面図であり、図１５は位置決めレール３１を分解して示す側面図であり、図１６は位置決めレール３１を分解して示す平面図である。
位置決めレール３１は、例えばプラスチックなどの合成樹脂で形成され、比較的細長い平板状の基板２３と、基板２３の短辺方向の両端部に設けられる一対の案内部材２４，２４とで構成されている。
基板２３には、その厚さ方向に貫通するネジ孔２５が複数個、所定の位置に形成されている。このネジ孔２５にネジを挿通させて取付面Ｓに螺合させることによって、基板２３は取付面Ｓに固定される。
【００７５】
また、基板２３の短辺方向の両端部にはそれぞれ、複数個の矩形状の切欠き２６が等間隔に形成されている。この切欠き２６は、後述する案内部材２４の嵌合突起２７を嵌合させるための部位である。切欠き２６において、対向する一対の側面２６ａ，２６ｂは、取付面Ｓ側すなわち上面から下面に向かうに従って間隔が狭くなるように傾斜面に形成される。即ち、切欠き２６を側面から見ると、下底が上底よりも短い台形状となる（図１５参照）。
【００７６】
一対の案内部材２４，２４は、正面から見て左右対称の部材である（図１４参照）。案内部材２４は、基板２３の長辺方向長さと同じ長さの棒状の部材である。案内部材２４は、基台部２８と、垂下部２９と、係合部３０と、複数個の嵌合突起２７とで構成される。
基台部２８は、横断面が長方形であり、横断面形状である長方形の長辺側の一対の表面がそれぞれ上面２８ａ及び下面２８ｂに設定される。基台部２８の上面２８ａには、複数個の嵌合突起２７が等間隔に形成される。基台部２８の下面２８ｂには、垂下部２９が形成される。
垂下部２９は、横断面が長方形であり、基台部２８と垂下部２９とで横断面形状が略Ｌ字形となるように、基台部２８の下面２８ｂであって一方端部（案内部材２４を基板２３に接合したときの内側端部）に偏った位置から、下方（嵌合突起２７とは反対方向）に延びて形成される。
係合部３０は、垂下部２９の先端から水平方向であって基台部２８とは対向しない方向に延びて形成され、さらに先端部が上方に突出するように形成されている。即ち、係合部３０の横断面形状は略Ｌ字形となり、先端部が係合突起３０ａとなる。
嵌合突起２７は、基板２３の切欠き２６に嵌合されるものであり、略直方体に形成され、切欠き２６の一対の傾斜面２６ａ，２６ｂに対向する一対の側面２７ａ，２７ｂは、基台部２８に近づくに従って間隔が狭くなるように傾斜面に形成される。即ち、嵌合突起２７を側面から見ると、下底が上底よりも短い台形状となる（図１５参照）。
【００７７】
位置決めレール３１は、基板２３の切欠き２６に一対の案内部材２４の嵌合突起２７を側方からそれぞれ嵌合させて構成される。切欠き２６及び嵌合突起２７は下方側が上方側より小さくなるように形成されているので、案内部材２４に下向きの力が作用しても、案内部材２４が下側に抜け落ちることはない。
【００７８】
図１７は、位置決めレール３１に収納具１の本体２を装着した状態を示す正面図である。本体２は、位置決めレール３１の長辺方向の一方端部から装着される。このとき、一対の案内部材２４，２４の係合突起３０ａ，３０ａが、本体２の底板５に形成された一対の嵌合溝１１ｃ，１１ｄにそれぞれ嵌合される。これによって、本体２は位置決めレール３１から下方に脱落することはなく、位置決めレール３１の長辺方向に沿って移動可能に保持される。
【００７９】
以上のように第３実施形態によれば、収納具１の本体２は下向きの取付面Ｓに固定された位置決めレール３１に移動可能に保持されるので、位置決めレール３１における移動可能範囲内で任意の位置に収納具１を配置することができ、また配置場所を変更することができる。これによって、ユーザは所望の位置に収納具１を配置して使用することができるようになり、利便性が向上する。
【００８０】
また、収納具１の本体２は位置決めレール３１に対して着脱可能に構成されているので、不要なときは収納具１を取り外し、必要なときだけ収納具１を取り付けて使用できる。これによって、ユーザは希望するときだけ収納具１を使用できるようになるので、利便性が向上する。
【００８１】
さらに、収納具１の本体２は位置決めレール３１に対して着脱可能に構成されているので、位置決めレール３１には複数個の収納具１を取り付けることができる。これによって、ユーザは希望の個数（１又は複数）の収納具１を取り付けて使用することができるようになるので、利便性が向上する。
【００８２】
なお、第２実施形態である収納具１ａと位置決めレール３１とで収納装置を構成してもよい。この場合でも、上述した効果が得られることはもちろんである。
【００８３】
図１８は、本発明の第４実施形態である収納具４１の構成を示す斜視図である。収納具４１は、本体４２と、支持部４３と、保持部４４とを含んで構成される。本体４２は、例えばプラスチックなどの合成樹脂で形成され、下向きの取付面Ｓに例えば後述するネジによって取り付けられる。下向きの取付面Ｓとは、地面や床面などに対向する面であり、食器棚の棚板の下面や、吊下げ棚の底板の下面や、天井面などが該当する。この取付面Ｓは、水平面であることが好ましいが、若干傾いた傾斜面であってもよい。
【００８４】
支持部４３は、弾性体で形成され、本体４２に接続されると共に、保持部４４を吊り下げる。弾性体としては、シリコンゴムやウレタンゴム等の合成ゴムや、熱可塑性エラストマー樹脂（シリコン系、ウレタン系、ブタジエン系等）などを用いることができる。支持部４３は、本体４２に対して鉛直方向に移動可能に、かつ鉛直方向回りに回転可能に設けられると共に、保持部４４に対しても鉛直方向に移動可能に、かつ鉛直方向回りに回転可能に設けられる。
保持部４４は、例えばプラスチックなどの合成樹脂で形成され、収納すべき物品としてボウル６１ａとステム６１ｂとプレート６１ｃからなるワイングラス６１を保持する。
【００８５】
図１９は、本体４２の構成を示す図であり、（ａ）は平面図、（ｂ）は（ａ）の切断面線ａ２−ａ２から見た断面図、（ｃ）は底面図である。
本体４２は、矩形状の底板４５と、底板４５の周囲を囲むように配置された側板４６とで構成された略箱状の部材である。本体４２の内側には、複数（本実施形態では４）の筒状体４７が底板４５の所定の位置に設けられており、筒状体４７の高さは側板４６の高さと同じ値に設定される。底板４５には、筒状体４７が設けられた部分に孔が形成され、これによって底板４５から筒状体４７に亘って１つの挿通孔４８が形成される。この挿通孔４８にネジを挿通して所定の取付面Ｓにネジを螺合することによって、本体４２は取付面Ｓに固定される。
【００８６】
底板４５の中央には、下方に向かって延びる円柱状の取付部４９が形成されている。取付部４９の内部は中空であり、上方側である底板側は開口しており、下方側である先端部には円形の挿通孔４９ａが形成されている。
さらに、底板４５の外側であって、取付部４９を挟んで対向する位置に配置されている一対の側板４６ａ，４６ｂの下側には、上述した位置決めレール３１の係合突起３０ａが嵌合される係合溝５０ａ，５０ｂがそれぞれ形成されている。一対の係合溝５０ａ，５０ｂは、一側面から反対側の側面まで底板４５の全長に亘って形成されている。
【００８７】
図２０は、支持部４３の構成を示す図であり、（ａ）は平面図、（ｂ）は正面図、（ｃ）は断面図である。支持部４３は、四角柱状に形成された本体５１と、本体５１の軸線方向の両端部にそれぞれ形成された嵌合突起５２，５３とで構成されている。本体５１は、上述した挿通孔４９ａ及び後述する挿通孔５４ａに挿通できる大きさに形成される。
嵌合突起５２，５３は、略直方体状に形成され、本体５１よりも幅が広く、外側（本体５１とは反対側）端部５２ａ，５３ａは中央が突出するようにテーパ状に形成される。
なお、支持部４３の本体５１を円柱状に形成してもよい。この場合、嵌合突起５２，５３は、本体５１より直径が大きい略円柱状に形成し、外側端部５２ａ，５３ａは中央が突出するようにテーパ状に形成する。
【００８８】
図２１は、保持部４４の構成を示す図であり、（ａ）は平面図、（ｂ）は正面図である。保持部４４は、略円柱状に形成された取付部５４と、取付部５４を挟んで互いに反対方向に延びて形成された一対の連結部５５ａ，５５ｂと、一対の連結部５５ａ，５５ｂの外側にそれぞれ形成された一対の係止部材５６ａ，５６ｂとで構成されている。
取付部５４は、内部が中空であり、下側端部が開口している。また、取付部５４の上側端部には、円形の挿通孔５４ａが形成されている。
一対の連結部５５ａ，５５ｂ及び一対の係止部材５６ａ，５６ｂは、図２１（ｂ）に示すように、正面から見て左右対称となるように形成されているので、図２１において右側に位置する連結部５５ａ及び係止部材５６ａを例にとり説明する。なお、連結部５５及び係止部材５６に関しては、右側に位置する部材には添え字ａを付して示し、左側に位置する部材には添え字ｂを付して示す。
【００８９】
連結部５５ａは、略Ｕ字形部分５７ａの内側にリブ５８ａを形成して成り、略Ｕ字形部分５７ａの横断面は円形である。この連結部５５ａは、正面（水平方向）から見てＵ字形となるように配置され、一方側が取付部５４の外周部に接合されており、他方側には係止部材５６ａが接合されている。
係止部材５６ａは、略Ｃ字形部分５９ａの下面にＣ字形のリブ６０ａを形成して成り、略Ｃ字形部分５９ａの横断面は円形であり、２つの先端部は球状に形成されている。また、２つの先端部間の間隔は、収納すべきワイングラス６１のステム６１ｃの幅よりも小さい値に設定されている。このような係止部材５６ａは、上面（鉛直方向）から見てＣ字形となるように配置されて、連結部５５ａに接合されている。
【００９０】
支持部４３は、弾性体で形成されているので、外力が作用すると圧縮変形するけれども、外力が作用しなくなると元の形状に復元する。したがって、支持部４３の一方の嵌合突起５２を本体４２の取付部４９の挿通孔４９ａから内側に押し込もうとして力を加えると、嵌合突起５２は圧縮変形するので挿通孔２９ａを通過することができる。その後、嵌合突起５２は取付部４９の内側に入った時点で力が作用しなくなるので、元の形状に復元する。これによって、嵌合突起５２が取付部４９の内側に位置し、本体５１が挿通孔４９ａを挿通した状態となる。嵌合突起５２は挿通孔４９ａよりも大きいので、支持部４３が取付部４９から簡単に脱落することはない。このようにして支持部４３を、本体４２の取付部４９に取り付けることができる。
ここで、支持部４３の嵌合突起５２は本体４２の取付部４９の内側に固定されるわけではないので、支持部４３は、本体４２に対して、軸線方向（鉛直方向）に移動可能に、かつ軸線（鉛直方向）回りに回転可能に設けられることになる。
同様にして、支持部４３の他方の嵌合突起５３を、保持部４４の取付部５４の挿通孔５４ａから内側に押し込むことによって、支持部４３を保持部４４の取付部５４に取り付けることができる。この場合も、支持部４３の嵌合突起５３は保持部４４の取付部５４の内側に固定されるわけではないので、支持部４３は、保持部４４に対して、軸線方向（鉛直方向）に移動可能に、かつ軸線（鉛直方向）回りに回転可能に設けられることになる。
【００９１】
図２２は、ワイングラス６１を収納した収納具４１を示す概略正面図である。ワイングラス６１は、ボウル６１ａが下でプレート６１ｃが上になる逆さまの姿勢で、ステム６１ｂが係止部材５６ａ，５６ｂの持つ弾性を利用して２つの先端部間の間隔を拡げてＣ字形部分５９ａ，５９ｂの内側に挿入され、プレート６１ｃがＣ字形部分５９ａ，５９ｂの上部に当接した状態で保持されて収納される。
【００９２】
以上のように第４実施形態によれば、収納すべき物品であるワイングラス６１は、弾性体で形成された支持部４３によって本体４２に吊り下げられた保持部４４に保持された状態で収納される。したがって、地震が発生して取付面Ｓが振動しても、支持部４３、即ち弾性体によって振動が吸収緩和されるので、吊り下げられたワイングラス６１の揺動を小さくすることができる。より詳しくは、水平方向の振動は、弾性体によって吸収緩和される。また鉛直方向の振動は、弾性体によって吸収緩和されると共に、支持部４３及び保持部４４が鉛直方向に移動することによっても吸収緩和される。
【００９３】
また、振動に起因して生じた吊り下げられた保持部４４を回転させる力は、弾性体によって吸収緩和されると共に、支持部４３及び保持部４４が鉛直方向回りに回転することによっても吸収緩和される。
このように地震が発生したときに、吊り下げられたワイングラス６１の揺動や回転を小さくすることができるので、ワイングラス６１が落下することを防止することができる。これによって、ワイングラス６１が落下して破損したり、散乱したりするのを防止することができる。
【００９４】
上記第４実施形態では、支持部４３を本体４２及び保持部４４の両方に対して移動可能かつ回転可能に設けたけれども、支持部４３を本体４２及び保持部４４の一方だけに対して移動可能かつ回転可能に設けるようにしてもよい。即ち、本体４３に固定された支持部４３に対して、保持部４４を移動可能に、かつ回転可能に設けるようにしてもよいし、保持部４４に固定された支持部４３を、本体４２に対して移動可能にかつ回転可能に設けるようにしてもよい。
なお、支持部４３を本体４２及び保持部４４の両方に対して移動可能に設けた場合のほうが、一方だけに対して移動可能に設けた場合に比べて、鉛直方向の移動可能距離が長くなるので、鉛直方向の振動の吸収緩和の度合いが大きくなる。
【００９５】
また、支持部４３を本体４２及び保持部４４の両方に対して固定してもよい。この構成では、水平方向の振動、鉛直方向の振動、及び振動に起因して生じた保持部４４を回転させる力は、いずれも支持部４３、即ち弾性体によって吸収緩和される。この構成でも、地震が発生したときに、吊り下げられたワイングラス６１の揺動や回転を小さくすることができるので、ワイングラス６１が落下することを防止することができる。
【００９６】
また、係止部材５６ａ，５６ｂに、２つの先端部間の間隔を閉鎖するカバー部材を着脱可能に設けるようにしてもよい。この構成では、収納具のユーザが必要性を感じたときに、カバー部材を装着して係止部材５６ａ，５６ｂにおける２つの先端部間の間隔を閉鎖することができる。
例えば、ユーザが２つの先端部間の間隔からワイングラス６１が落下するのではないかと思ったとき、ユーザはカバー部材を装着して前記間隔を閉鎖することができる。これによって、ワイングラス６１が係止部材５６ａ，５６ｂから落下することを確実に防止できるので、安全性が向上すると共に、ユーザに安心感を与えることができる。
【００９７】
また、係止部材５６ａ，５６ｂに対するワイングラス６１の出し入れを繰り返すと、先端部間の間隔が大きくなることが予想されるが、このときにカバー部材を装着すれば、ワイングラス６１が係止部材５６ａ，５６ｂから落下することを確実に防止できるので、安全性が向上する。
さらに、先端部間の間隔の幅よりもステム６１ｂの幅が小さいワイングラス６１を保持させたときは、前記間隔をカバー部材によって閉鎖できるので、ワイングラス６１が係止部材５６ａ，５６ｂから落下することを確実に防止することができる。これによって、収納できるワイングラス６１の種類を増やすことが可能となる。
【００９８】
図２３は、本発明の第５実施形態である収納装置Ｕ２の構成を示す斜視図である。収納装置Ｕ２は、第４実施形態である収納具４１と、第３実施形態で使用した位置決めレール３１とを備えて構成される。なお、第３実施形態及び第４実施形態と同一の構成には同一の参照符号を付して詳細な説明は省略する。
位置決めレール３１は、所定の下向きの取付面Ｓに固定され、収納具４１の本体４２を移動可能に保持する。また本体４２は、位置決めレール３１に対して着脱可能に構成されている。本実施形態においても、第３実施形態と同様の効果が得られる。
【００９９】
図２４は、本発明の第６実施形態である収納具７１の構成を示す斜視図である。第６実施形態は、上述した第４実施形態と類似しているので、同一の構成には同一の参照符号を付して詳細な説明は省略する。収納具７１は、本体４２と、支持部４３と、保持部６２とを含んで構成される。
支持部４３は、弾性体で形成され、本体４２に接続されると共に、保持部６２を吊り下げる。弾性体としては、シリコンゴムやウレタンゴム等の合成ゴムや、熱可塑性エラストマー樹脂（シリコン系、ウレタン系、ブタジエン系等）などを用いることができる。支持部４３は、本体４２に対して鉛直方向に移動可能に、かつ鉛直方向回りに回転可能に設けられると共に、保持部６２に対しても鉛直方向に移動可能に、かつ鉛直方向回りに回転可能に設けられる。
保持部６２は、例えばプラスチックなどの合成樹脂で形成され、収納すべき物品として取っ手６３ａを備えたカップ６３を保持する。
【０１００】
図２５は、保持部６２の構成を示す図であり、（ａ）は平面図、（ｂ）は正面図である。保持部６２は、略円柱状に形成された取付部６４と、取付部６４を挟んで互いに反対方向に延びて形成された一対の連結部６５ａ，６５ｂと、一対の連結部６５ａ，６５の外側にそれぞれ形成された一対の係止部材６６ａ，６６ｂとで構成されている。
取付部６４は、内部が中空であり、下側端部が開口している。また、取付部６４の上側端部には、円形の挿通孔６４ａが形成されている。
【０１０１】
一対の連結部６５ａ，６５ｂ及び一対の係止部材６６ａ，６６ｂは、図２５（ｂ）に示すように、正面から見て左右対称となるように形成されているので、図２５において右側に位置する連結部６５ａ及び係止部材６６ａを例にとり説明する。なお、連結部６５及び係止部材６６に関しては、右側に位置する部材には添え字ａを付して示す、左側に位置する部材には添え字ｂを付して示す。
連結部６５ａは、略Ｃ字形部分６７ａの内側にリブ６８ａを形成して成り、略Ｃ字形部分６７ａの横断面は円形である。この連結部６５ａは、正面（水平方向）から見てＣ字形となるように、かつ２つの先端部が下側に位置するように配置され、一方側が取付部６４の外周部に接合されており、他方側には係止部材６６ａが接合されている。
【０１０２】
係止部材６６ａは、略Ｃ字形に形成され、横断面は円形であり、２つの先端部は球状に形成されている。この係止部材６６ａは、正面（水平方向）から見てＣ字形となるように、かつ２つの先端部が上側に位置するように配置され、一方の先端部が連結部６５ａの略Ｃ字形部分６７ａの外側の先端部に接合されている。これによって、係止部材６６ａと連結部６５ａの略Ｃ字形部分６７ａとで略Ｓ字形が形成される。
支持部４３は、本体４２の取付部４９に取り付けられると共に、保持部６２の取付部６４に取り付けられる。したがって、支持部４３は、本体４２に対して、軸線方向（鉛直方向）に移動可能に、かつ軸線（鉛直方向）回りに回転可能に設けられることになり、保持部６２に対して、軸線方向（鉛直方向）に移動可能に、かつ軸線（鉛直方向）回りに回転可能に設けられることになる。
【０１０３】
図２６は、取っ手６３ａを備えたカップ６３を収納した収納具７１を示す概略正面図である。取っ手６３ａを備えたカップ６３は、取っ手６３ａがＣ字形の係止部材６６ａ，６６ｂに係合された状態で保持される。
本実施形態においても上述した第４実施形態と同様の効果が得られる。即ち、地震が発生したときに、吊り下げられた取っ手６３ａを備えたカップ６３の揺動や回転を小さくすることができるので、カップ６３が落下することを防止することができる。これによって、取っ手を備えたカップ６３が落下して破損したり、散乱したりするのを防止することができる。
【０１０４】
図２７は、本発明の第７実施形態である収納装置Ｕ３の構成を示す斜視図である。収納装置Ｕ３は、第６実施形態である収納具７１と、第３実施形態で使用した位置決めレール３１とを備えて構成される。なお、第３実施形態及び第６実施形態と同一の構成には同一の参照符号を付して詳細な説明は省略する。
位置決めレール３１は、所定の下向きの取付面Ｓに固定され、収納具７１の本体４２を移動可能に保持する。また本体４２は、位置決めレール３１に対して着脱可能に構成されている。本実施形態においても、第３実施形態と同様の効果が得られる。
【０１０５】
図２８は、本発明の第８実施形態である収納具８１の構成を示す斜視図である。第８実施形態は、上述した第４実施形態と類似しているので、同一の構成には同一の参照符号を付して詳細な説明は省略する。収納具８１は、本体４２と、支持部４３と、保持部７２とを含んで構成される。
【０１０６】
支持部４３は、弾性体で形成され、本体４２に接続されると共に、保持部７２を吊り下げる。弾性体としては、シリコンゴムやウレタンゴム等の合成ゴムや、熱可塑性エラストマー樹脂（シリコン系、ウレタン系、ブタジエン系等）などを用いることができる。支持部４３は、本体４２に対して鉛直方向に移動可能に、かつ鉛直方向回りに回転可能に設けられると共に、保持部７２に対しても鉛直方向に移動可能に、かつ鉛直方向回りに回転可能に設けられる。
保持部７２は、例えばプラスチックなどの合成樹脂で形成され、収納すべき物品としてコップ７３を保持する。コップ７３には、取っ手を備えたカップが含まれる。
【０１０７】
図２９は、保持部７２の構成を示す図であり、（ａ）は平面図、（ｂ）は正面図である。保持部７２は、略円柱状に形成された取付部７３と、取付部７３を挟んで互いに反対方向に延びて形成された一対の連結部７５ａ，７５ｂと、一対の連結部７５ａ，７５ｂの外側にそれぞれ形成された一対の係止部材７６ａ，７６ｂとで構成されている。
【０１０８】
取付部７３は、内部が中空であり、下側端部が開口している。また、取付部７３の上側端部には、円形の挿通孔７３ａが形成されている。
【０１０９】
一対の連結部７５ａ，７５ｂ及び一対の係止部材７６ａ，７６ｂは、図２９（ｂ）に示すように、正面から見て左右対称となるように形成されているので、図２９において右側に位置する連結部７５ａ及び係止部材７６ａを例にとり説明する。なお、連結部７５及び係止部材７６に関しては、右側に位置する部材には添え字ａを付して示し、左側に位置する部材には添え字ｂを付して示す。
【０１１０】
連結部７５ａは、略Ｌ字形に形成された連結部材７７ａにリブ７８ａを形成して構成されている。連結部材７７ａは、横断面が円形であり、取付部７３の下方側端部の外周部から水平方向に延びる水平部分７９ａと、水平部分７９ａの先端から上方に向かって垂直に延びる垂直部分８０ａとで構成されている。リブ７８ａは、連結部材７７ａの水平部分の上部に、取付部７３の外周部から垂直部分８０ａの外周部までの範囲に形成されている。なお、連結部材７７ａの垂直部分８０ａの先端に係止部材７６ａが接合されている。
【０１１１】
係止部材７６ａは、略直線状に延びる棒状に形成され、横断面は円形であり、先端部は球状に形成されている。この係止部材７６ａは、外側（取付部７３から離反する方向）に向かって傾斜して設けられている。また、連結部材７７ａの垂直部分８０ａと係止部材７６ａとで形成された略Ｖ字形部分に関して、Ｖ字形の内側にリブ８２が形成されている。なお、係止部材７６ａは、略直線状に延びる板状に形成してもよい。
【０１１２】
支持部４３は、本体４２の取付部４９に取り付けられると共に、保持部７２の取付部７３に取り付けられる。したがって、支持部４３は、本体４２に対して、軸線方向（鉛直方向）に移動可能に、かつ軸線（鉛直方向）回りに回転可能に設けられることになり、保持部７２に対して、軸線方向（鉛直方向）に移動可能に、かつ軸線（鉛直方向）回りに回転可能に設けられることになる。
【０１１３】
図３０は、コップ７３を収納した収納具７１を示す概略正面図である。コップ７３は、開口部が下に向いた逆さまの姿勢で、棒状の係止部材７６ａ，７６ｂがコップ７３の内側に挿入され、係止部材７６ａ，７６ｂの先端部がコップ７３の底部に当接し、係止部材７６ａ，７６ｂの外周部がコップ７３の内周部に当接した状態で保持される。
係止部材７６ａ，７６ｂの垂直方向に対する傾斜角は、０度〜４５度が望ましく、さらには３５度〜４５度程度が好ましい。傾斜角を４５度より大きくすると、係止部材７６ａ，７６ｂが水平方向に近づくため、コップ７３が係止部材７６ａ，７６ｂが落下しやすくなり、好ましくない。傾斜角を小さくすると、係止部材７６ａ，７６ｂの先端部と取付面Ｓとの距離が短くなるので、コップ７３の収納作業及び取外し作業がやりにくくなり、好ましくない。
【０１１４】
本実施形態においても上述した第４実施形態と同様の効果が得られる。即ち、地震が発生したときに、吊り下げられたコップ７３の揺動や回転を小さくすることができるので、コップ７３が落下することを防止することができる。これによって、コップ７３が落下して破損したり、散乱したりするのを防止することができる。
【０１１５】
図３１は、本発明の第９実施形態である収納装置Ｕ４の構成を示す斜視図である。収納装置Ｕ４は、第８実施形態である収納具８１と、第３実施形態で使用した位置決めレール３１とを備えて構成される。なお、第３実施形態及び第８実施形態と同一の構成には同一の参照符号を付して詳細な説明は省略する。
位置決めレール３１は、所定の下向きの取付面Ｓに固定され、収納具８１の本体４２を移動可能に保持する。また本体４２は、位置決めレール３１に対して着脱可能に構成されている。本実施形態においても、第３実施形態と同様の効果が得られる。
【０１１６】
図３２は、本発明の第１０実施形態である収納具９１を示す断面図である。第１０実施形態は、上述した第４実施形態と類似しているので、同一の構成には同一の参照符号を付して詳細な説明は省略する。収納具９１は、本体４２と、支持部４３と、保持部８２とを含んで構成される。
支持部４３は、弾性体で形成され、本体４２に接続されると共に、保持部８２を吊り下げる。弾性体としては、シリコンゴムやウレタンゴム等の合成ゴムや、熱可塑性エラストマー樹脂（シリコン系、ウレタン系、ブタジエン系等）などを用いることができる。支持部４３は、本体４２に対して鉛直方向に移動可能に、かつ鉛直方向回りに回転可能に設けられる。
【０１１７】
図３３は、保持部８２の構成を示す平面図である。保持部８２は、弾性体で形成され、収納すべき物品を包むように保持する。保持部８２は、収納部材８３と、一対の連結部材８４ａ，８４ｂとで構成されている。収納部材８３は、略円板状の底板８５と、略円筒状の側板８６とで構成されたカップ状の部材である。
【０１１８】
底板８５の中央部分は、開口側に突出するように形成されており、この突出部分８５ａの形状は半円球である。この突出部分８５ａの周囲には、同心円上に等間隔に配列された複数個（本実施形態では８個）の孔８７が形成されている。
【０１１９】
側板８６は、底板８５から開口側に向かうに従って徐々に内径が大きくなるように形成されている。そして、側板８６の開口側端部８６ａは、外側に向かって拡げられてツバ状に形成されている。また、側板８６の内周部には、等間隔に配列された複数個（本実施形態では４個）のリブ８８が形成されている。リブ８８は、底板８５から開口側端部８６ａまでの範囲に形成されている。
【０１２０】
一対の連結部材８４ａ，８４ｂは、収納部材８３の側板８６の開口側端部８６ａであって中心を挟んで互いに対向する位置に設けられている。連結部材８４ａ，８４ｂは、収納部材８３の開口側端部８６ａから外側に向かって延びる帯状に形成されている。連結部材８４ａ，８４ｂの先端部端面は、円弧状に形成され、さらに先端部近傍には係合孔８９ａ，８９ｂが形成されている。
【０１２１】
このような構成の保持部７４は、一対の連結部材８４ａ，８４ｂをそれぞれ内側に折り曲げ、各連結部材８４ａ，８４ｂの先端部を支持部４３に係合させることによって支持部４３に取り付けられる。より詳しくは、支持部４３の嵌合突起５３を連結部材８４ａ，８４ｂの係合孔８９ａ，８９ｂに挿通させて係合孔８９ａ，８９ｂに支持部４３の本体５１が挿通した状態にすることによって、連結部材８４ａ，８４ｂの先端部は嵌合突起５３によって下方に移動することが規制され、保持部７４が支持部４３から脱離することが防止される。
【０１２２】
収納すべき物品であるお茶碗９０は、逆さまにして収納部材８３の底板８５の突出部分８５ａに被せた状態で保持部８２に保持される。このとき、側板８６に形成されたリブ８８がお茶碗９０の外側に接触するので、お茶碗９０が収納部材８３内で移動することが防止される。また、複数個のお茶碗９０を重ねて保持させるようにしてもよい。
【０１２３】
本実施形態においても上述した第４実施形態と同様の効果が得られる。即ち、地震が発生したときに、吊り下げられた保持部８２の揺動や回転を小さくすることができるので、保持された物品であるお茶碗９０等が落下することを防止することができる。これによって、お茶碗９０等が落下して破損したり、散乱したりするのを防止することができる。
【０１２４】
特に本実施形態においては、支持部４３に加えて保持部８２も弾性体で形成されるので、支持部４３だけが弾性体である場合に比べて、振動の吸収緩和の度合いが大きくなる。これによって、吊り下げられた保持部８２の揺動をより一層小さくすることが可能となる。
【０１２５】
また、収納部材８３の底板８５には複数の孔８７が形成されているので、物品を収納部材８３に保持したとき、収納部材８３の内側と外側とで空気が循環できるようになる。これによって、例えば洗った後の生乾きの食器を収納した場合、空気が循環するので、食器を乾かすことができる。
【０１２６】
さらに、例えば収納具９１を台所の流し台の上側に取り付けておき、洗った直後の水滴が垂れている食器を収納した場合は、収納部材８３の孔８７を通って水滴が流し台に落下するので、食器の水切りを行うことができ、その後は空気が循環するので食器を乾かすことができる。この場合は、食器を洗った後に乾かしてから収納する必要がなくなり、手間を省くことが可能となる。
【０１２７】
なお、第１０実施形態である収納具９１と第３実施形態で用いた位置決めレール３１とを組み合わせて収納装置を構成してもよい。
また、収納する物品が異なる複数種類の収納具と位置決めレール３１とを組み合わせて収納装置を構成してもよい。この収納装置では、収納する物品が異なる複数種類の収納具を位置決めレール３１に取り付けて使用することができるので、ユーザは収納する物品の種類に応じた収納具を適宜選択して使用することができるようになり、利便性が向上する。
【符号の説明】
【０１２８】
１，４１，７１，８１  収納具
２，４１  本体
３，４３  支持部
４，４４，６２，７２，８２  保持部
１７，１８ｂ  係止突起
２０  包装部分
２１  係止部分
２２  三角形の孔
２３  円形の孔
３１  位置決めレール
５６ａ，５６ｂ，６６ａ，６６ｂ，７６ａ，７６ｂ  係止部材
６１  ワイングラス
６３  カップ
６３ａ  取っ手
７３  コップ
８３  収納部材
８７  孔
Ｓ  取付面
Ｕ１，Ｕ２，Ｕ３，Ｕ４  収納装置
【図１】
2014176462.tif 000003
【図２】
2014176462.tif 000004
【図３】
2014176462.tif 000005
【図４】
2014176462.tif 000006
【図５】
2014176462.tif 000007
【図６】
2014176462.tif 000008
【図７】
2014176462.tif 000009
【図８】
2014176462.tif 000010
【図９】
2014176462.tif 000011
【図１０】
2014176462.tif 000012
【図１１】
2014176462.tif 000013
【図１２】
2014176462.tif 000014
【図１３】
2014176462.tif 000015
【図１４】
2014176462.tif 000016
【図１５】
2014176462.tif 000017
【図１６】
2014176462.tif 000018
【図１７】
2014176462.tif 000019
【図１８】
2014176462.tif 000020
【図１９】
2014176462.tif 000021
【図２０】
2014176462.tif 000022
【図２１】
2014176462.tif 000023
【図２２】
2014176462.tif 000024
【図２３】
2014176462.tif 000025
【図２４】
2014176462.tif 000026
【図２５】
2014176462.tif 000027
【図２６】
2014176462.tif 000028
【図２７】
2014176462.tif 000029
【図２８】
2014176462.tif 000030
【図２９】
2014176462.tif 000031
【図３０】
2014176462.tif 000032
【図３１】
2014176462.tif 000033
【図３２】
2014176462.tif 000034
【図３３】
2014176462.tif 000035
【手続補正書】
【提出日】平成25年6月6日(2013.6.6)
【手続補正１】
【補正対象書類名】特許請求の範囲
【補正対象項目名】全文
【補正方法】変更
【補正の内容】
【特許請求の範囲】
【請求項１】
下向きの取付面に取り付けられる本体と、
前記本体に取り付けられ、鉛直方向に移動可能に、かつ鉛直方向回りに回転可能に設けられる支持部と、
前記支持部に吊り下げられると共に、弾性体で形成され、収納すべき物品を包むように保持する保持部とを含むことを特徴とする収納具。
【請求項２】
請求項１に記載の収納具において、
前記支持部は、前記本体に対して着脱可能に構成されていることを特徴とする収納具。
【請求項３】
請求項１又は２に記載の収納具において、
前記保持部は、前記支持部に対して着脱可能に構成されていることを特徴とする収納具。
【請求項４】
請求項３に記載の収納具において、
前記保持部は、シート状の包装部分と、前記包装部分の外周部に形成される複数の係止部分とを含み、前記包装部分の中央に前記物品を載置し、複数の前記係止部分が互いに近接するように前記包装部分を折り曲げて前記物品を包むようにして保持し、複数の前記係止部分をそれぞれ前記支持部に係止させて前記物品を収納することを特徴とする収納具。
【請求項５】
請求項４に記載の収納具において、
４個の係止部分が、前記包装部分の中心回りに等間隔に形成されていることを特徴とする収納具。
【請求項６】
請求項５に記載の収納具において、
前記包装部分の中心と前記係止部分とを結ぶ直線上の所定の点を起点として、前記包装部分の外周部に沿うように切込みが形成され、この切込みは前記直線に関して線対称であることを特徴とする収納具。
【請求項７】
請求項５又は６に記載の収納具において、
シート状の前記包装部分は、略正方形に形成され、該正方形の角部にそれぞれ前記係止部分が形成されていることを特徴とする収納具。
【請求項８】
請求項４〜７のいずれかに記載の収納具において、
前記係止部分は、係止孔を有し、前記支持部は、係止突起を有し、前記係止孔に前記係止突起が挿通することによって、前記係止部分が前記支持部に係止されることを特徴とする収納具。
【請求項９】
請求項４〜８のいずれかに記載の収納具において、
シート状の前記包装部分には、複数の孔が形成されていることを特徴とする収納具。
【請求項１０】
下向きの取付面に取り付けられる本体と、
収納すべき物品を保持する保持部と、
弾性体で形成され、前記本体に接続されると共に、前記保持部を吊り下げる支持部とを含み、
前記支持部は、前記本体及び前記保持部の少なくとも一方に対して、鉛直方向に移動可能に、かつ鉛直方向回りに回転可能に設けられていることを特徴とする収納具。
【請求項１１】
請求項１０に記載の収納具において、
収納すべき前記物品は、ボウルとステムとプレートとからなるワイングラスであり、
前記保持部は、Ｃ字形に形成された係止部材を有し、この係止部材は、鉛直方向から見てＣ字形となるように配置され、さらに前記係止部材の２つの先端部間の間隔は、前記ワイングラスのステムの幅よりも小さい値に設定されており、
前記ワイングラスは、ボウルが下でプレートが上になる逆さまの姿勢で、ステムが前記係止部材の持つ弾性を利用して前記間隔を拡げてＣ字形の内側に挿入され、プレートが前記係止部材の上部に当接した状態で保持されることを特徴とする収納具。
【請求項１２】
請求項１１に記載の収納具において、
Ｃ字形の前記係止部材には、２つの前記先端部間の間隔を閉鎖するカバー部材が着脱可能に設けられていることを特徴とする収納具。
【請求項１３】
請求項１０に記載の収納具において、
収納すべき前記物品は、取っ手を備えたカップであり、
前記保持部は、Ｃ字形に形成された係止部材を有し、この係止部材は、２つの先端部が上側に位置するように配置されており、
前記カップは、前記取っ手がＣ字形の係止部材に係合された状態で保持されることを特徴とする収納具。
【請求項１４】
請求項１０に記載の収納具において、
収納すべき前記物品は、コップであり、
前記保持部は、略直線状に延びて形成された係止部材を有し、この係止部材は、鉛直方向に対して所定の角度だけ傾斜して配置されており、
前記コップは、開口部が下に向いた逆さまの姿勢で、前記係止部材が該コップの内側に挿入され、前記係止部材の先端部が該コップの底部に当接し、前記係止部材の外周部が該コップの内周部に当接した状態で保持されることを特徴とする収納具。
【請求項１５】
請求項１０に記載の収納具において、
前記保持部は、弾性体で形成され、前記物品を包むように保持することを特徴とする収納具。
【請求項１６】
請求項１〜１５のいずれかに記載の少なくとも１つの収納具と、
前記下向きの取付面に固定され、前記収納具の本体を移動可能に保持する位置決め部材とを備え、
前記本体は、前記位置決め部材に対して着脱可能に構成されることを特徴とする収納装置。
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】変更
【補正の内容】
【００１５】
また、請求項１０の発明では、下向きの取付面に取り付けられる本体と、収納すべき物品を保持する保持部と、弾性体で形成され、前記本体に接続されると共に、前記保持部を吊り下げる支持部とを含み、前記支持部は、前記本体及び前記保持部の少なくとも一方に対して、鉛直方向に移動可能に、かつ鉛直方向回りに回転可能に設けられていることを特徴とする収納具としている。
【手続補正４】
【補正対象書類名】明細書
【補正対象項目名】００１６
【補正方法】変更
【補正の内容】
【００１６】
また、請求項１１の発明では、請求項１０に記載の収納具において、収納すべき前記物品は、ボウルとステムとプレートとからなるワイングラスであり、前記保持部は、Ｃ字形に形成された係止部材を有し、この係止部材は、鉛直方向から見てＣ字形となるように配置され、さらに前記係止部材の２つの先端部間の間隔は、前記ワイングラスのステムの幅よりも小さい値に設定されており、前記ワイングラスは、ボウルが下でプレートが上になる逆さまの姿勢で、ステムが前記係止部材の持つ弾性を利用して前記間隔を拡げてＣ字形の内側に挿入され、プレートが前記係止部材の上部に当接した状態で保持されることを特徴としている。
【手続補正５】
【補正対象書類名】明細書
【補正対象項目名】００１７
【補正方法】変更
【補正の内容】
【００１７】
また、請求項１２の発明では、請求項１１に記載の収納具において、Ｃ字形の前記係止部材には、２つの前記先端部間の間隔を閉鎖するカバー部材が着脱可能に設けられていることを特徴としている。
【手続補正６】
【補正対象書類名】明細書
【補正対象項目名】００１８
【補正方法】変更
【補正の内容】
【００１８】
また、請求項１３の発明では、請求項１０に記載の収納具において、収納すべき前記物品は、取っ手を備えたカップであり、前記保持部は、Ｃ字形に形成された係止部材を有し、この係止部材は、２つの先端部が上側に位置するように配置されており、前記カップは、前記取っ手がＣ字形の係止部材に係合された状態で保持されることを特徴としている。
【手続補正７】
【補正対象書類名】明細書
【補正対象項目名】００１９
【補正方法】変更
【補正の内容】
【００１９】
また、請求項１４の発明では、請求項１０に記載の収納具において、収納すべき前記物品は、コップであり、前記保持部は、略直線状に延びて形成された係止部材を有し、この係止部材は、鉛直方向に対して所定の角度だけ傾斜して配置されており、前記コップは、開口部が下に向いた逆さまの姿勢で、前記係止部材が該コップの内側に挿入され、前記係止部材の先端部が該コップの底部に当接し、前記係止部材の外周部が該コップの内周部に当接した状態で保持されることを特徴としている。
【手続補正８】
【補正対象書類名】明細書
【補正対象項目名】００２０
【補正方法】変更
【補正の内容】
【００２０】
また、請求項１５の発明では、請求項１０に記載の収納具において、前記保持部は、弾性体で形成され、前記物品を包むように保持することを特徴としている。
【手続補正９】
【補正対象書類名】明細書
【補正対象項目名】００２１
【補正方法】変更
【補正の内容】
【００２１】
また、請求項１６の発明では、請求項１〜１５のいずれかに記載の少なくとも１つの収納具と、前記下向きの取付面に固定され、前記収納具の本体を移動可能に保持する位置決め部材とを備え、前記本体は、前記位置決め部材に対して着脱可能に構成されることを特徴とする収納装置としている。
【手続補正１０】
【補正対象書類名】明細書
【補正対象項目名】００３１
【補正方法】削除
【補正の内容】
【手続補正１１】
【補正対象書類名】明細書
【補正対象項目名】００３２
【補正方法】変更
【補正の内容】
【００３２】
請求項１０に記載の発明によれば、収納すべき物品は、弾性体で形成された支持部によって本体に吊り下げられた保持部に保持された状態で収納される。したがって、地震が発生して取付面が振動しても、支持部、即ち弾性体によって振動が吸収緩和されるので、吊り下げられた物品の揺動を小さくすることができる。より詳しくは、水平方向の振動は、弾性体によって吸収緩和される。また鉛直方向の振動は、弾性体によって吸収緩和されると共に、支持部及び保持部が鉛直方向に移動することによっても吸収緩和される。
なお、支持部を本体及び保持部の両方に対して移動可能に設けた場合のほうが、一方だけに対して移動可能に設けた場合に比べて、鉛直方向の移動可能距離が長くなるので、鉛直方向の振動の吸収緩和の度合いが大きくなる。
また、振動に起因して生じた吊り下げられた保持部を回転させる力は、弾性体によって吸収緩和されると共に、支持部及び保持部が鉛直方向回りに回転することによっても吸収緩和される。
このように地震が発生したときに、吊り下げられた物品の揺動や回転を小さくすることができるので、物品が落下することを防止することができる。これによって、物品が落下して破損したり、散乱したりするのを防止することができる。
【手続補正１２】
【補正対象書類名】明細書
【補正対象項目名】００３３
【補正方法】変更
【補正の内容】
【００３３】
請求項１１に記載の発明によれば、地震が発生したときに、吊り下げられたワイングラスの揺動や回転を小さくすることができるので、ワイングラスが係止部材から落下することを防止することができる。
【手続補正１３】
【補正対象書類名】明細書
【補正対象項目名】００３４
【補正方法】変更
【補正の内容】
【００３４】
請求項１２に記載の発明によれば、収納具のユーザが必要性を感じたときに、カバー部材を装着してＣ字形の係止部材における２つの先端部間の間隔を閉鎖することができる。例えば、ユーザが２つの先端部間の間隔からワイングラスが落下するのではないかと思ったとき、ユーザはカバー部材を装着して前記間隔を閉鎖することができる。これによって、ワイングラスが係止部材から落下することを確実に防止できるので、安全性が向上すると共に、ユーザに安心感を与えることができる。
【手続補正１４】
【補正対象書類名】明細書
【補正対象項目名】００３７
【補正方法】変更
【補正の内容】
【００３７】
請求項１３に記載の発明によれば、地震が発生したときに、吊り下げられたカップの揺動や回転を小さくすることができるので、カップが係止部材から落下することを防止することができる。
【手続補正１５】
【補正対象書類名】明細書
【補正対象項目名】００３８
【補正方法】変更
【補正の内容】
【００３８】
請求項１４に記載の発明によれば、地震が発生したときに、吊り下げられたコップの揺動や回転を小さくすることができるので、コップが係止部材から落下することを防止することができる。なお、コップには、取っ手を備えたカップを含むものとする。
【手続補正１６】
【補正対象書類名】明細書
【補正対象項目名】００３９
【補正方法】変更
【補正の内容】
【００３９】
請求項１５に記載の発明によれば、支持部に加えて保持部も弾性体で形成されるので、支持部だけが弾性体である場合に比べて、振動の吸収緩和の度合いが大きくなる。これによって、吊り下げられた物品の揺動をより一層小さくすることが可能となる。
【手続補正１７】
【補正対象書類名】明細書
【補正対象項目名】００４０
【補正方法】変更
【補正の内容】
【００４０】
請求項１６に記載の発明によれば、収納具の本体は下向きの取付面に固定された位置決め部材に移動可能に保持されるので、位置決め部材における移動可能範囲内で任意の位置に収納具を配置することができ、また配置場所を変更することができる。これによって、ユーザは所望の位置に収納具を配置して使用することができるようになり、利便性が向上する。
また、ユーザは不要なときは収納具を取り外し、必要なときに収納具を取り付けて使用できるので、ユーザは希望するときだけ収納具を使用できるようになり、利便性が向上する。
さらに、位置決め部材には複数個の収納具を取り付けることができるので、ユーザは希望の個数（１又は複数）の収納具を取り付けて使用することができるようになり、利便性が向上する。また、位置決め部材には収納する物品が異なる複数種類の収納具を取り付けて使用することができるので、ユーザは収納する物品の種類に応じた収納具を適宜選択して使用することができるようになり、利便性が向上する。